(57)【要約】【課題】      バケツ本体を容易に転倒させることができる釣用水汲みバケツを提供することである。【解決手段】  釣用水汲みバケツ１はバケツ本体２の上方の開口２ａの対向する両位置の周面２ｂにハンドル止着部３、３が固定されている。  ハンドル止着部３、３の固定位置は、固定された周面２ｂの長さ方向の中間より一側に偏移した両位置に固定されている。  従ってハンドル止着部３、３の固定位置は、バケツ本体２の重心Ｇを通る垂線αより一側に偏移した両位置に固定されていることになる。  ハンドル止着部３、３にはハンドル４が渋い回動状態で取り付けられている。【選択図】        図２
2006230366.tif 000002
【特許請求の範囲】
【請求項１】
上方に開口を有するバケツ本体にハンドルを設け該ハンドルに紐を取り付けた釣用水汲みバケツにおいて、バケツ本体を平面上に置いた時ハンドルの重心がバケツ本体の中心の上方からずれることを特徴とする釣用水汲みバケツ。
【請求項２】
ハンドルが回動自在にバケツ本体に設けられていることを特徴とする請求項１記載の釣用水汲みバケツ。
【発明の詳細な説明】
【技術分野】
【０００１】
本発明は、水面で水汲み姿勢となる釣用水汲みバケツの改良に関する。
【背景技術】
【０００２】
従来から釣り用水汲みバケツは、合成樹脂製のバケツ本体に吊り下げ紐が取り付けられ、水汲みにあたって水面に投げ出したバケツ本体が容易に倒れる様に特許文献１ではバケツ本体の上端部付近に錘を取り付けていた。
このようにバケツ本体の上端部付近に錘を取り付けても水面に置かれるように安定して浮いてしまうとバケツ本体を容易に倒すことができず、また、倒れ易くするには、鉛等の比重の大きい錘を取り付けることになって手間とコストが掛かり、また、錘の重さを大きくする以外に手段がなく、錘が大きくなると、水を汲む時、防波堤の壁面等に擦れたり、引っかかり易く、バケツ本体が壊れる原因になっていた。
【特許文献１】実開昭６３−１６９０５８号公報
【発明の開示】
【発明が解決しようとする課題】
【０００３】
解決しようとする問題点は、バケツ本体の上端部付近に錘を取り付けてもバケツ本体を容易に倒すことができず、錘が、水を汲む時、防波堤の壁面等に擦れたり、引っかかり易く、バケツ本体が壊れる原因になっていたことである。
【０００４】
本発明の目的は前記欠点に鑑み、バケツ本体を容易に転倒させることができる釣用水汲みバケツを提供することである。
【課題を解決するための手段】
【０００５】
本発明の請求項１は、上方に開口を有するバケツ本体にハンドルを設け該ハンドルに紐を取り付けた釣用水汲みバケツにおいて、バケツ本体を平面上に置いた時ハンドルの重心がバケツ本体の中心の上方からずれることを要旨とするものである。
本発明の請求項２は、ハンドルが回動自在にバケツ本体に設けられていることを要旨とするものである。
【発明の効果】
【０００６】
本発明により、バケツ本体が着水した時ハンドルの重心がバケツ本体の中心の上方からずれているので、バケツ本体を容易に倒すことが出来て容易に水汲みが出来る。
【発明を実施するための最良の形態】
【０００７】
釣用水汲みバケツ１はバケツ本体２の上方の開口２ａの対向する両位置の周面２ｂにハンドル止着部３、３が固定されている。
ハンドル止着部３、３の固定位置は、固定された周面２ｂの長さ方向の中間より一側に偏移した両位置に固定されている。
従ってハンドル止着部３、３の固定位置は、バケツ本体２の重心Ｇを通る垂線αより一側に偏移した両位置に固定されていることになる。
ハンドル止着部３、３にはハンドル４が渋い回動状態で取り付けられている。
ハンドル４はア−チ状に形成され、開口２ａ上方を跨ぐように架設されている。
ハンドル４の握り部４ａの中央に横長の透孔に吊り下げ紐８の下端が取り付けられている。
【実施例１】
【０００８】
以下、図示の実施例によって本発明を説明すると、図１から図５は第１実施例で、図１は吊り下げ紐で吊り下げられた釣り用水汲みバケツの斜視図、図２（ａ）は平面上の釣用水汲みバケツの一部断面側面図と一部拡大断面側面図で（ｂ）は平面から吊り上げた釣用水汲みバケツの側面図、図３は水面に降ろした釣用水汲みバケツの側面図、図４は水中に傾けた釣用水汲みバケツの側面図、図５は水を汲み上げた釣用水汲みバケツの側面図である。
【０００９】
釣用水汲みバケツ１はバケツ本体２の上方の開口２ａの対向する両位置の周面２ｂにハンドル止着部３、３が固定されている。
ハンドル止着部３、３の固定位置は、固定された周面２ｂの長さ方向の中間より一側に偏移した両位置に固定されている。
従ってハンドル止着部３、３の固定位置は、バケツ本体２の重心Ｇを通る垂線αより一側に偏移した両位置に固定されていることになり、重心Ｇを通る垂線αを介して対向位置からずれて位置する。
ハンドル止着部３、３にはハンドル４がハンドル４の自重では回動せず、吊り下げ紐８で引いたり、手で回動するなどの力が加わった時に回動するように回動が規制された、いわゆる渋い回動状態で取り付けられている。
【００１０】
バケツ本体２は、例えばエチレン酢酸ビニ−ルや塩化ビニ−ル等の合成樹脂製シ−トで形成され防水性と柔軟性を有している。
バケツ本体２は周囲の周面２ｂの一側と他側が重ねられて高周波溶着等で溶着固定され、周面２ｂの下端に底面２ｃの周囲が高周波溶着等で溶着固定されて開口が四角形の直方体に形成されている。
よって、重心Ｇを通る垂線αは、開口が四角形の直方体のバケツ本体２の中心を通っている。
バケツ本体２の周面２ｂの開口縁に金属線５がシ−ト材で包み込まれ、周面２ｂは開口２ａにおいて内側から外側へ折り返されて折り返し部２ｄが周面２ｂに縫着や高周波溶着等で固定されている。
バケツ本体２は高さ方向で折り畳み可能に形成してもよい。
【００１１】
ハンドル止着部３は、例えばエチレン酢酸ビニ−ルや塩化ビニ−ル等の合成樹脂で形成され、バケツ本体２の開口２ａに設けられており、上端部３ａと中間部３ｂと下端部３ｃで形成されている。
ハンドル止着部３の上端部３ａはバケツ本体２の開口上部より上方に突出されている。
中間部３ｂは折り返し部２ｄの外形に沿って屈曲形成され、下端部３ｃは折り返し部２ｄと周面２ｂに溶着等で固定されている。
ハンドル止着部３、３の上端部３ａには透孔３ｄが形成されている。
【００１２】
ハンドル４は、例えばエチレン酢酸ビニ−ル等の合成樹脂製でＵ字状（ア−チ状）をしており、可撓性を有しているが上方に起立させた時Ｕ字状の形状を維持できるようになっている。
ハンドル４の形状は握り部４ａとその両端側から杆部４ｂ、４ｂが下方に向けて突設されてＵ字状に形成され、杆部４ｂ、４ｂの先に夫々２枚の板からなる両支持部４ｃ、４ｃが形成され、両支持部４ｃ、４ｃに回動軸４ｄ、４ｄが形成されている。
回動軸４ｄ、４ｄはハンドル止着部３、３の透孔３ｄに嵌合されると共にハンドル止着部３、３とハンドル４の両支持部４ｃ、４ｃは渋い回動状態にある。
ハンドル４は開口２ａ上方をア−チ状に跨ぐように架設されている。
握り部４ａの中央に横長の透孔４ｅが貫通して形成され、透孔４ｅにはナス環６が係止され、ナス環６に糸巻き７に巻回された組紐等からなる吊り下げ紐８の下端が固定されている。
握り部４ａは杆部４ｂ、４ｂより太径にすることで重量を有し、さらに、金属からなる錘を埋設成形してもよい。
【００１３】
図２（ａ）のように前記釣用水汲みバケツ１のバケツ本体２が地面または水面などの平面Ｌ上に置かれ、ハンドル止着部３、３とハンドル４の両支持部４ｃ、４ｃが渋い回動状態にあると、吊り下げ紐８等で支持しなくてもハンドル４はバケツ本体２の上方に上を向いて起立される。
吊り下げ紐８が引き上げられると、図２（ｂ）のようにバケツ本体２は平面Ｌ上を離れて浮き上がり、バケツ本体２の重心Ｇが吊り下げ紐８の真下になるように吊り下がり、ハンドル止着部３がバケツ本体２の偏移した位置に固定されているので、バケツ本体２とハンドル４は傾斜した状態で吊り下げられる。
バケツ本体２とハンドル４が図２（ｂ）のように傾斜した状態で吊り下げられた状態で水面Ｗ上に置かれて吊り下げ紐８が緩められると、再び図２（ａ）のようにバケツ本体２の底面２ｃを水面である平面Ｌ上置いた状態となって着水する。
この時バケツ本体２はまっすぐに置かれ重心Ｇを通る垂線αは底面２ｃ及び平面Ｌに直行する状態となっており、ハンドル４は起立している。
次に、バケツ本体２とハンドル４の重量でバケツ本体２は図３の状態のように傾いてから図４のように水中に沈み、バケツ本体２の中に水が浸入する。
バケツ本体２の中に水が入って吊り下げ紐８が引き上げられると図５のように水を汲み取ることが出来る。
【００１４】
前記のようにハンドル止着部３、３がバケツ本体２の偏移した位置に固定されてハンドル止着部３、３にハンドル４が起立した状態にある時は、バケツ本体２が着水した時ハンドル４の重心Ｇ１がバケツ本体２の中心（重心Ｇを通る垂線α）の上方からずれているので、容易にバケツ本体２は傾くことになる。
ハンドル４の握り部４ａが重ければ、ハンドル４の重心Ｇ１が、ハンドル止着部３位置とバケツ本体２の中心の上方からずれる距離が遠くなるのでバケツ本体２が傾き易くなり、握り部４ａに金属からなる錘を埋設成形するとよりバケツ本体２が傾き易くなる。
【００１５】
ハンドル止着部３、３にハンドル４が回動を規制せずに滑らかな回動状態で連結されている時は、図３の状態でハンドル４が左右両側または、少なくとも左側に回動するようにしておくことで容易にバケツ本体２を傾けることが出来る。
【００１６】
前記のように釣用水汲みバケツ１が構成されていると、バケツ本体２が着水した時ハンドル４の重心がバケツ本体２の中心の上方からずれているので、バケツ本体２の底面２ｃを水面Ｗ上に置いてバケツ本体２がまっすぐに置かれた状態から容易に傾けて水を汲み取ることができる。
バケツ本体２は着水時にハンドル４は起立した状態となっており、重心が高くなるためバケツ本体２は自然に傾いて倒れたり、風や波の地からを受けたり、吊り下げ紐を引いて傾けるように操作することで容易に倒すことができる。
なお、ハンドル４が規制されずに回動自在になっていると、ハンドル４が起立した状態から倒れて倒伏状態になる時に勢いがついてよりバケツ本体２が倒れやすくなる。
【実施例２】
【００１７】
図６から図１０は第２実施例で、図６は吊り下げ紐で吊り下げられた釣り用水汲みバケツの斜視図、図７（ａ）は平面上の釣用水汲みバケツの一部断面側面図と一部拡大断面側面図で（ｂ）は平面から吊り上げた釣用水汲みバケツの側面図、図８は水面に降ろした釣用水汲みバケツの側面図、図９は水中に傾けた釣用水汲みバケツの側面図、図１０は水を汲み上げた釣用水汲みバケツの側面図である。
【００１８】
第２実施例では、釣用水汲みバケツ１はバケツ本体２の上方の開口２ａの対向する両位置の周面２ｂの長さ方向の中間位置にハンドル止着部３、３が固定され、バケツ本体２の重心Ｇを通る垂線α（バケツ本体２の中心線）を介して対向するようにハンドル止着部３、３が位置している。
ハンドル止着部３、３には図７（ａ）のようにハンドル４が起立した状態と２点鎖線のように倒伏した状態になるように、ハンドル４が回動自在に取り付けられている。
【００１９】
ハンドル４は、例えばエチレン酢酸ビニ−ル等の合成樹脂製でＵ字状をしており、上方に起立させた時Ｕ字状の形状を維持したままの硬さを有している。
ハンドル４が起立したバケツ本体２が着水した状態では、握り部４ａは中心線α上に位置し、ハンドル４の重心Ｇ１は中心線αの上方からずれて位置する。
ハンドル４の形状は握り部４ａと屈曲した杆部４ｆ、４ｆとでＵ字状に形成され、杆部４ｆ、４ｆの屈曲部に球状の錘４ｇ、４ｇが形成され、杆部４ｆ、４ｆの先に夫々内向きの回動部４ｈ、４ｈと抜け止め部４ｉ、４ｉが形成されている。
ハンドル止着部３の透孔３ｄにハンドル４の回動部４ｈが回動自在に嵌合され、ハンドル４が起立した状態にて吊り下げ紐８等の支持がなくなると自重にて回動して倒伏した状態になるように形成されている。
他の構成は前記第１実施例と略同一である。
【００２０】
第２実施例では図７（ａ）のようにバケツ本体２が地面や水面などの平面Ｌ上に置かれて吊り下げ紐８が引き上げられた状態（着水した状態など）では、ハンドル４の球状の錘４ｇ、４ｇ位置がバケツ本体２の重心Ｇを通る垂線αより一側に偏移した位置となるので、吊り下げ紐８が緩められると、ハンドル止着部３、３の透孔３ｄを中心にハンドル４が球状の錘４ｇ、４ｇ側に回動される。
図７（ｂ）のようにバケツ本体２が平面Ｌ上を離れて浮き上がるように吊り下げ紐８が引き上げられ、バケツ本体２の重心Ｇが吊り下げ紐８の真下になるように吊り下げられる。
バケツ本体２とハンドル４が吊り下げられた状態で水面Ｗ上に置かれて図８のように吊り下げ紐８が緩められると、ハンドル４が矢印Ｐの方向に回動して、その勢いでバケツ本体２とハンドル４の重量でバケツ本体２は傾斜した状態となり、その後図９のように水中に沈み、バケツ本体２の中に水が浸入する。
バケツ本体２の中に水が入って吊り下げ紐８が引き上げられると図１０のように水を汲み取ることが出来る。
【実施例３】
【００２１】
図１１から図１５は第３実施例で、図１１は吊り下げ紐で吊り下げられた釣り用水汲みバケツの斜視図、図１２（ａ）は平面上の釣用水汲みバケツの一部断面側面図と一部拡大断面側面図で（ｂ）は平面から吊り上げた釣用水汲みバケツの側面図、図１３は水面に降ろした釣用水汲みバケツの側面図、図１４は水中に傾けた釣用水汲みバケツの側面図、図１５は水を汲み上げた釣用水汲みバケツの側面図である。
【００２２】
第３実施例では、釣用水汲みバケツ１はバケツ本体２の上方の開口２ａの対向する両位置の周面２ｂの長さ方向の中間より一側の偏移した両位置にハンドル４′が固定されている。
従ってハンドル４′の固定位置は、バケツ本体２の重心Ｇを通る垂線αより一側に偏移した両位置に固定されていることになる。
ハンドル４′は、例えばエチレン酢酸ビニ−ル等の合成樹脂製でＵ字状をしており、上方に起立させた時Ｕ字状の形状を維持したままの硬さを有している。
ハンドル４′の形状は握り部４ａと杆部４ｊ、４ｊと蛇腹部４ｋ、４ｋと止着部４ｍ、４ｍでＵ字状に形成されている。
他の構成は前記第１実施例と略同一である。
【００２３】
前記釣用水汲みバケツ１のバケツ本体２が平面Ｌ上に置かれると図１２（ａ）のようにハンドル４′はバケツ本体２の上方に上を向いて起立される。
吊り下げ紐８が引き上げられると、図１２（ｂ）のようにバケツ本体２は平面Ｌ上を離れて浮き上がり、バケツ本体２の重心Ｇが吊り下げ紐８の真下になるように吊り下がり、ハンドル４′がバケツ本体２の偏移した位置に固定されているので、バケツ本体２とハンドル４′は傾斜した状態で吊り下げられる。
バケツ本体２とハンドル４′が図１２（ｂ）のように傾斜した状態で吊り下げられた状態で水面Ｗ上に置かれて吊り下げ紐８が緩められると、再び図１２（ａ）のように底面２ｃが平面（水面）Ｌ上に置かれた状態で着水し、バケツ本体２とハンドル４′の重量又は吊り下げ紐８を操作することでバケツ本体２は図１３の状態のように倒れ、図１４のように水中に沈み、バケツ本体２の中に水が浸入する。
図１４では蛇腹部４ｋ、４ｋが上方に向かって延びているが、握り部４ａの重量によってはバケツ本体２の重心Ｇを通る垂線αより離れる方向に湾曲して曲がることで勢いが付けてバケツ本体２が倒れやすくなる。
バケツ本体２の中に水が入って吊り下げ紐８が引き上げられると図１５のように水を汲み取ることが出来る。
【００２４】
前記各実施例でハンドル材料は紐としてもよい。
【産業上の利用可能性】
【００２５】
本発明は釣用水汲みバケツ全般に利用できる。
【図面の簡単な説明】
【００２６】
【図１】第１実施例で、吊り下げ紐で吊り下げられた釣り用水汲みバケツの斜視図である。
【図２】同（ａ）は平面上の釣用水汲みバケツの一部断面側面図と一部拡大断面側面図で（ｂ）は平面から吊り上げた釣用水汲みバケツの側面図である。
【図３】同水面に降ろした釣用水汲みバケツの側面図である。
【図４】同水中に傾けた釣用水汲みバケツの側面図である。
【図５】同水を汲み上げた釣用水汲みバケツの側面図である。
【図６】第２実施例で、吊り下げ紐で吊り下げられた釣り用水汲みバケツの斜視図である。
【図７】同（ａ）は平面上の釣用水汲みバケツの一部断面側面図と一部拡大断面側面図で（ｂ）は平面から吊り上げた釣用水汲みバケツの側面図である。
【図８】同水面に降ろした釣用水汲みバケツの側面図である。
【図９】同水中に傾けた釣用水汲みバケツの側面図である。
【図１０】同水を汲み上げた釣用水汲みバケツの側面図である。
【図１１】第３実施例で、吊り下げ紐で吊り下げられた釣り用水汲みバケツの斜視図である。
【図１２】同（ａ）は平面上の釣用水汲みバケツの一部断面側面図と一部拡大断面側面図で（ｂ）は平面から吊り上げた釣用水汲みバケツの側面図である。
【図１３】同水面に降ろした釣用水汲みバケツの側面図である。
【図１４】同水中に傾けた釣用水汲みバケツの側面図である。
【図１５】同水を汲み上げた釣用水汲みバケツの側面図である。
【符号の説明】
【００２７】
１  釣用水汲みバケツ
２  バケツ本体
４、４′  ハンドル
【図１】
2006230366.tif 000003
【図２】
2006230366.tif 000004
【図３】
2006230366.tif 000005
【図４】
2006230366.tif 000006
【図５】
2006230366.tif 000007
【図６】
2006230366.tif 000008
【図７】
2006230366.tif 000009
【図８】
2006230366.tif 000010
【図９】
2006230366.tif 000011
【図１０】
2006230366.tif 000012
【図１１】
2006230366.tif 000013
【図１２】
2006230366.tif 000014
【図１３】
2006230366.tif 000015
【図１４】
2006230366.tif 000016
【図１５】
2006230366.tif 000017